(57)【要約】【課題】スイープ動作時の指の動きを安定させて、指紋の検出を確実かつ正確に行なうことができる画像読取装置等の情報処理装置を提供する。【解決手段】外装前面部２３に操作表示部５を備える情報処理装置であって、外装前面部２３に設けられたガイド部２４と、該ガイド部２４内に外装前面部２３に対して傾斜して配置され、指の腹を接触させた状態で、指の付け根側の方向へ指を移動可能に案内するガイド面２６と、該ガイド面２６に配置された指紋センサ２２と、を備える。【選択図】図３
2008268993.tif 000002
【特許請求の範囲】
【請求項１】
外装前面部に操作表示部が設けられた情報処理装置であって、
前記外装前面部に設けられたガイド部と、
該ガイド部内に前記外装前面部に対して傾斜して配置され、指の腹を接触させた状態で、指の付け根側の方向へ指を移動可能に案内するガイド面と、
該ガイド面に配置された指紋センサと、を備えることを特徴とする情報処理装置。
【請求項２】
前記外装前面部が、水平面に対して該操作表示部の操作位置側に傾斜して配置されるか、または略垂直に配置される、ことを特徴とする請求項１に記載の情報処理装置。
【請求項３】
前記ガイド部は、前記操作表示部の側部近傍に配置される、ことを特徴とする請求項１又は２に記載の情報処理装置。
【請求項４】
画像読取部をさらに備え、前記画像読取部の読み取った画像を前記操作表示部に表示可能であることを特徴とする請求項１〜３のいずれか一項に記載の情報処理装置。
【請求項５】
通信回線を介して他の情報処理装置との接続を可能とする通信手段と、
前記指紋センサにより取得した指紋情報に基づいてユーザー認証を行う認証手段と、をさらに備える、ことを特徴とする請求項１〜４のいずれか一項に記載の情報処理装置。
【請求項６】
前記指紋センサが、スイープ型指紋センサである、ことを特徴とする請求項１〜５のいずれか一項に記載の情報処理装置。
【請求項７】
前記ガイド部には、指の先端が突き当て可能とされて、該突き当て時に、前記ガイド面での指の初期位置を位置決めする突き当て部が設けられている、ことを特徴とする請求項１〜６のいずれか一項に記載の情報処理装置。
【請求項８】
前記ガイド面は、指の移動方向から見た断面が凹形状に形成されている、ことを特徴とする請求項１〜７のいずれか一項に記載の情報処理装置。
【請求項９】
前記ガイド面は、該ガイド面に沿う指の移動経路を略水平とするか、又は該移動経路の指の付け根側を高くするように形成されている、ことを特徴とする請求項１〜８のいずれか一項に記載の情報処理装置。
【発明の詳細な説明】
【技術分野】
【０００１】
本発明は、操作表示部を備えた情報処理装置に関し、特に、操作表示部が設けられているフロントパネルにスイープ型指紋センサが設置された画像読取装置等の情報処理装置に関する。
【背景技術】
【０００２】
従来のこの種の情報処理装置として、例えば、ネットワークに直接接続される画像読取装置が普及している。
【０００３】
この画像読取装置は、複数のクライアント端末が接続されたネットワークに対して、クライアント端末と同じような一端末として接続されるタイプのものであり、このような画像読取装置を共有して読み取った画像をメールで送信したり、他のクライアント端末に転送したりすることが可能である。
【０００４】
このように、ネットワークに接続された画像読取装置においては、読み取られた画像データは機密情報や個人情報などを含む可能性があり、画像データの取り扱いに関して、セキュリティ対策が必須とされている。
【０００５】
この為、一般的に、許可されたユーザー以外の不正アクセスを防止する為、ネットワークを介する画像データの送受信を許可するユーザーを予め登録しておき、ログインする時には登録時に記憶されたパスワード等のユーザー固有の認証情報と照合する、ユーザー認証が行われている。
【０００６】
また、ＰＣ（パーソナルコンピュータ）等の情報処理装置でも、当該装置を不特定多数のユーザーが使用することを防止するために、パスワード等の認証情報を用いたユーザー認証が行われ、また、ネットワークに接続されている場合にも、ユーザー認証が行なわれる。
【０００７】
最近では、ユーザー認証の手段として指紋センサを搭載し、ユーザー固有の認証情報として指紋情報を用いた装置も提案されている（特許文献１参照）。また、指紋センサとして、細かなセンサを一次元的に配列したラインセンサを用い、そのラインセンサに指先を当てて指を直角方向に動かすことにより指紋を読み取るスイープ型指紋センサが多く用いられている（特許文献２参照）。
【０００８】
スイープ型指紋センサは、小型である為、装置に組み込んだ際の設置スペースを小さくすることが出来るという利点がある。
【特許文献１】特開２００２−０３６６６３号公報
【特許文献２】特開２００３−３０３３３８号公報
【発明の開示】
【発明が解決しようとする課題】
【０００９】
しかし、スイープ型指紋センサの場合、センサの読取面に指を押し当てて常に密着させた状態で指を動かさないと確実な指紋の検出が困難であるため、スイープ動作（指が指紋センサを撫でる動き）時に指がセンサの読取面から僅かに浮いたりしてしまうと指紋の検出が出来ない場合があり、指紋の登録時や認証時のエラーの要因となってしまう。
【００１０】
また、スイープ動作時に指の動きが不安定となり、移動速度が乱れたり、左右に振れたりすると、読み取られる指紋画像も歪みや変形が生じる為、指紋の検出が出来ないという問題がある。
【００１１】
更に、指紋センサは、ユーザーの操作性を考慮して、通常は装置の操作部や表示部に隣接した位置に配置されるが、卓上型のコンパクトな画像読取装置等においては、操作部であるタッチパネルを表示部に重ねて設置して構成される操作表示部を、操作するユーザー側に傾斜したフロントパネルまたは略垂直なフロントパネルに設けている場合が多い。
【００１２】
傾斜面や略垂直な面に指紋センサを配置すると、通常はスイープ動作時に指紋センサに対して、指を上から下方向に動かすので、水平な面に対して奥側から手前側に指を動かす場合と比較すると、指の動かし方が不自然となって指が指紋センサから離れ易くなる。
【００１３】
特に、卓上型のコンパクトな画像読取装置等の場合、机の上に装置を置いたままユーザーが立って操作する際には、指紋センサが低い位置に配置されることになるので、非常に指を動かし難く、なおさら指が指紋センサから離れ易くなる。
【００１４】
そこで、本発明は、スイープ動作時の指の動きを安定させて、指紋の検出を確実かつ正確に行なうことができる情報処理装置を提供することを目的とする。
【課題を解決するための手段】
【００１５】
上記目的を達成するために、請求項１に係る発明は、外装前面部に操作表示部が設けられた情報処理装置であって、前記外装前面部に設けられたガイド部と、該ガイド部内に前記外装前面部に対して傾斜して配置され、指の腹を接触させた状態で、指の付け根側の方向へ指を移動可能に案内するガイド面と、該ガイド面に配置された指紋センサと、を備えることを特徴とする。
【００１６】
請求項２に係る発明は、請求項１において、前記外装前面部が、水平面に対して該操作表示部の操作位置側に傾斜して配置されるか、または略垂直に配置される、ことを特徴とする。
【００１７】
請求項３に係る発明は、請求項１又は２において、前記ガイド部は、前記操作表示部の側部近傍に配置される、ことを特徴とする。
【００１８】
請求項４に係る発明は、請求項１〜３のいずれか一項において、画像読取部をさらに備え、前記画像読取部の読み取った画像を前記操作表示部に表示可能であることを特徴とする。
【００１９】
請求項５に係る発明は、請求項１〜４のいずれか一項において、通信回線を介して他の情報処理装置との接続を可能とする通信手段と、前記指紋センサにより取得した指紋情報に基づいてユーザー認証を行う認証手段と、をさらに備える、ことを特徴とする。
【００２０】
請求項６に係る発明は、請求項１〜５のいずれか一項において、前記指紋センサが、スイープ型指紋センサである、ことを特徴とする。
【００２１】
請求項７に係る発明は、請求項１〜６のいずれか一項において、前記ガイド部には、指の先端が突き当て可能とされて、該突き当て時に、前記ガイド面での指の初期位置を位置決めする突き当て部が設けられている、ことを特徴とする。
【００２２】
請求項８に係る発明は、請求項１〜７のいずれか一項において、前記ガイド面は、指の移動方向から見た断面が凹形状に形成されている、ことを特徴とする。
【００２３】
請求項９に係る発明は、請求項１〜８のいずれか一項において、前記ガイド面は、該ガイド面に沿う指の移動経路を略水平とするか、又は該移動経路の指の付け根側を高くするように形成されている、ことを特徴とする。
【発明の効果】
【００２４】
本発明によれば、指紋センサが配置されるガイド面が外装前面部に対して傾斜して配置されるので、スイープ動作時の指の動きが安定して、指紋の検出を確実かつ正確に行なうことができる。
【００２５】
また、操作表示部の側部近傍に指紋センサを設置するガイド部を配置することにより、装置の小型化を図ることができるとともに、人間工学的にも優れた操作性を実現することができる。
【発明を実施するための最良の形態】
【００２６】
以下、本発明の実施の形態の一例を図を参照して説明する。
【００２７】
図１は本発明の実施の形態の一例である画像読取装置の外観斜視図、図２は図１に示す画像読取装置の概略断面図である。
【００２８】
図１および図２に示すように、本実施形態の画像読取装置１には、装置１内に収納可能とされて上方に引き出された状態の給紙トレイ２、原稿Ｐを挿入する給紙口３が設けられており、原稿Ｐは下端部を給紙口３に挿入した状態で給紙トレイ２に表面を下向きにしてセットされる。
【００２９】
装置１の前面部は、液晶パネル等の表示装置４を設けたフロントパネル（外装前面部）２３とされている。表示装置４はフロントパネル２３の略中央部に取り付けられており、該表示装置４の上面には、タッチパネル５が配置されている。なお、表示パネル４やタッチパネル５は、直接フロントパネル２３に取り付けられていなくてもよい。
【００３０】
表示装置４は、読み取りモードの設定や各種設定画面の表示を行うことが可能であり、タッチパネル５と共に本発明の操作表示部を構成して各種設定項目や読取動作の開始指示等を入力することが可能である。フロントパネル２３は、水平面に対してタッチパネル５の操作位置側に傾斜配置されており、タッチパネル５の操作面は、フロントパネル２３の表面に対して略平行に配置されていることが好ましい。但し、フロントパネル２３の表面に沿う位置にタッチパネル５が配置されていれば十分であり、必要に応じてある程度の角度を持たせてもよい。
【００３１】
装置１の下側部には、原稿Ｐが排出される排紙口６が設けられており、排紙口６より排出された原稿Ｐは排紙トレイ７に積載される。また、樹脂成形等で形成された上部フレーム８と下部フレーム９との間には、直線状の原稿搬送路１０が表示装置４と略平行になるように設けられている。
【００３２】
原稿搬送路１０には、給送ローラ１１、分離ローラ１２、搬送ローラ対１３及び排紙ローラ対１４が配設されている。また、搬送ローラ対１３と排紙ローラ対１４との間には、密着型イメージセンサ等で構成される画像読取部１５、画像読取部１６が配設されている。
【００３３】
上部フレーム８の最前部であるフロントパネル２３においての表示装置４の上方には、電源ボタン１７が配置され、下部フレーム９内には装置１の駆動制御用の回路基板１８が固定され、下部フレーム９の底部を覆う底板２０には、マザーボード１９が固定されている。下部フレーム９の背面側は、背面カバー２１により覆われている。
【００３４】
上記構成の画像読取装置１においては、給紙トレイ２にセットされた原稿Ｐは給送ローラ１１と分離ローラ１２とによって１枚ずつ分離されて搬送ローラ対１３へ給送される。また、原稿Ｐは、搬送ローラ対１３によって画像読取部１５、画像読取部１６へ一定速度で搬送され、画像読取部１５で裏面の画像が読み取られ、続いて画像読取部１６で表面の画像が読み取られる。
【００３５】
その後、原稿Ｐは、排紙ローラ対１４により排紙口６から排紙される。２枚目以降の原稿Ｐについても同様の動作がなされ、原稿Ｐは給紙トレイ２にセットされたときと同一の順序で排紙トレイ７に積載される。
【００３６】
画像読取部１５及び画像読取部１６が原稿Ｐの画像を読み取って出力した画像信号は、駆動制御用の回路基板１８でＡ／Ｄ変換した後、所定の画像処理が行われて画像データとなる。画像データは、マザーボード１９の画像表示／出力インターフェイス回路を介して表示装置４に逐次リアルタイムで表示することが可能であり、また、通信インターフェイス回路（通信手段）およびＬＡＮ等の通信回線を介してクライアント端末等に転送可能である。
【００３７】
また、フロントパネル２３には、スイープ型の指紋センサ２２が配置されるガイド部２４が表示装置４の側部近傍に位置して設けられている。ガイド部２４は、図３に示すように、スイープ面２６、突き当て面２５、および規制ガイド２７，２８を有している。
【００３８】
スイープ面２６は、フロントパネル２３に対して操作位置から見て奥側が該フロントパネル２３から離れる方向に傾斜して配置され、指の腹を接触させた状態で、該指を付け根側の方向へ移動可能に案内するガイド面とされている。そして、スイープ面２６の指の移動方向に沿う位置には、指紋センサ２２が配置されている。
【００３９】
突き当て面２５は、指の先端が突き当て可能とされており、該突き当て時に、スイープ面２６での指の動作の初期位置を位置決めする。突き当て面２５を設けることにより、ユーザーに指で撫でるべき範囲（指先を置く位置）を視覚的および触覚的に認識させることが可能である。規制ガイド２７，２８は、指の左右の側部の位置を規制する。
【００４０】
図４は、フロントパネル２３から離れる方向に傾斜したスイープ面２６が、略水平に配置された例を示す図である。
【００４１】
この場合、指紋センサ２２により指紋を検出する際には、まず、指の先端を突き当て面２５に突き当てて、スイープ面２６での指の動作の初期位置を位置決めする。このとき、指の第１関節付近が指紋センサ２２のライン状の読取部２２ａに位置するようになっており、この状態から指の腹を指紋センサ２２の読取部２２ａに密着させたまま、スイープ面２６に沿って指の付け根側の方向である矢印Ｂ方向に動かすことにより、動かした指の指紋が検出される。
【００４２】
検出された指紋情報は、マザーボード１９の認証手段（ＣＰＵ等）によって、予め不図示の記憶部に記憶させておいたユーザー固有の指紋情報と照合され、照合結果に基づいてユーザー認証が行われる。
【００４３】
一方、図５は、スイープ面２６を図４より更にフロントパネル２３から離れる方向に傾斜させて配置した例を示す図である。この場合も、上記同様に、スイープ面２６に沿って矢印Ｃ方向に指を動かすことにより、動かした指の指紋が検出される。
【００４４】
いずれの例においても、図６に示すように、フロントパネル２３と略平行となるよう形成したスイープ面２６に指紋センサ２２を配置した場合に比較して、指をスイープ面２６に沿って動かす方向が水平方向又はフロントパネル２３とは逆の傾斜方向となり、指を奥側から手前側に動かすので、操作性が格段に向上する。
【００４５】
その結果、指紋センサ２２を指でスイープする動作が安定するので、指紋の認識率を向上させる効果がある。
【００４６】
図７および図８は、図４および図５の指紋センサ２２の位置での指の動作方向から見た断面図である。
【００４７】
図８において、左右の規制ガイド２７，２８は、指をスイープ面２６に沿って動かしたときに、指の左右方向の動きを規制する為のものであるが、指の太さには個人差があるので、厳密に規制ガイド２７，２８だけで指の左右方向の動きを規制することは難しい。
【００４８】
従って、図７に示すように、スイープ面２６の面形状を平面ではなく、指の腹の形状に応じた曲線の断面形状を有する凹面とすることが好ましい。これにより、指の太さの違いに係わらず、スイープ動作時に指の左右方向の動き（振れ）を規制することが可能である。なお、スイープ面２６は指の移動方向から見た断面形状がＶ字形等の傾斜部を有する任意の形状である凹面としてもよい。
【００４９】
また、スイープ面２６の凹みの幅方向（図の左右方向）の中心に対して、指紋センサ２２の読取部２２ａの幅方向（図の左右方向）の中心を合わせて配置することにより、スイープ動作時に自然と指の幅方向の振れが抑えられるため、更に指紋の認識率を向上させることができる。
【００５０】
以上説明したように、本実施形態では、指紋センサ２２が配置されるスイープ面２６がフロントパネル２３に対して傾斜して配置されるので、スイープ動作時の指の動きが安定して、指紋の検出を確実かつ正確に行なうことができる。
【００５１】
また、フロントパネル２３の表示装置４の側部近傍位置に指紋センサ２２が設置されるガイド部２４を配置しているので、装置１の小型化を図ることができるとともに、人間工学的にも優れた操作性を実現することができる。
【００５２】
なお、本発明は上記実施の形態に例示したものに限定されるものではなく、本発明の要旨を逸脱しない範囲において適宜変更可能である。
【００５３】
例えば、上記実施の形態では、指紋センサを搭載したネットワーク対応型の画像読取装置に本発明を適用した場合を例示したが、これに代えて、指紋センサを備えたＰＣ（パーソナルコンピュータ）、複合機、ＰＤＡ端末などの情報処理装置に本発明を適用してもよい。
【００５４】
また、操作表示部を設けた外装前面部が不規則な形状であり、フロントパネルと見なしにくい場合でも、当該面の平均的な傾きに対してスイープ面が上述のように形成されていれば本発明に含まれる。また、スイープ面をフロントパネルの中ではなく、フロントパネルの外周に接する位置に設けてもよい。
【００５５】
また、上記実施の形態では、操作表示部５を備えるフロントパネル２３が固定配置される場合を例示したが、これに限定されず、例えば操作表示部５を備える可動ユニットが略垂直を含む所定の範囲の角度に回転可能となる機構を備えた情報処理装置に本発明を適用してもよい。
【図面の簡単な説明】
【００５６】
【図１】本発明の実施の形態の一例である画像読取装置の外観斜視図である。
【図２】図１に示す画像読取装置の概略断面図である。
【図３】図１のＡ部拡大図である。
【図４】フロントパネルに設けたガイド部の断面図である。
【図５】ガイド部の変形例を説明するための断面図である。
【図６】従来の指紋センサ周囲の概略断面図である。
【図７】図４および図５の指紋センサ位置での指の動作方向から見た断面図である。
【図８】図７の比較例を示す断面図である。
【符号の説明】
【００５７】
１    画像読取装置（情報処理装置）
４    表示装置（操作表示部）
２２  スイープ型指紋センサ
２３  フロントパネル（外装前面部）
２４  ガイド部
２５  突き当て面（突き当て部）
２６  スイープ面（ガイド面）
【図１】
2008268993.tif 000003
【図２】
2008268993.tif 000004
【図３】
2008268993.tif 000005
【図４】
2008268993.tif 000006
【図５】
2008268993.tif 000007
【図６】
2008268993.tif 000008
【図７】
2008268993.tif 000009
【図８】
2008268993.tif 000010